(57)【要約】【課題】各収容部を確実に開口させることができ、見栄えを良好にすることができる包装袋の内容物充填方法及び包装袋を提供する。【解決手段】包装袋１は、一方の外面シート２の開口縁部近傍に、スリット２ａを備え、仕切りシート４の開口縁部と反開口縁部とを、外面シート２の開口縁部と反開口側に接着する。外面シート２，３のスリット２ａよりも開口側を吸引して第１収納部５を開口させる第１収納部開口工程１４と、第１収納部５に第１内容物２３を充填する第１充填工程１２と、スリット２ａよりも開口側の外面シート２，３と仕切りシート４とをスポットシールする接着工程１３と、外面シート２，３のスリット２ａよりも反開口側を吸引して第２収納部６を開口させる第２収納部開口工程１４と、第２収納部６に第２内容物２６を充填する第２充填工程１５と、開口側の外面シート２，３と仕切りシート４とを封止する封止工程１６とを備えている。【選択図】図１
2011131906.tif 000002
【特許請求の範囲】
【請求項１】
対向する一対の外面シートの間に、袋内を２つの収納部に分割する仕切りシートを介在させた包装袋の各収納部に、内容物をそれぞれ充填する包装袋の内容物充填方法において、前記包装袋は、前記外面シートの何れか一方の外面シートの開口縁部近傍に、該開口縁部と平行な切断部を備えると共に、前記仕切りシートの開口縁部が前記一方の外面シートの開口縁部に、前記仕切りシートの反開口縁部が前記外面シートの反開口側にそれぞれ接着されており、
両外面シートの前記切断部よりも開口側を一対の吸引手段にて開口方向にそれぞれ吸引し、他方の外面シートと前記仕切りシートとの間に形成される第１収納部を開口させる第１収納部開口工程と、
第１収納部開口工程によって開口した前記第１収納部に第１内容物を充填する第１充填工程と、
第１充填工程終了後の前記切断部よりも開口側の両外面シートと仕切りシートとを接着する接着工程と、
接着工程終了後の両外面シートの前記切断部よりも反開口側を一対の吸引手段にて開口方向にそれぞれ吸引し、一方の外面シートと仕切りシートとの間に形成される第２収納部を前記切断部の部分で開口させる第２収納部開口工程と、
第２収納部開口工程によって開口した前記第２収納部に第２内容物を充填する第２充填工程と、
第２充填工程終了後に前記切断部形成部分を含めた開口側の両外面シートと仕切りシートとを一体に封止する封止工程とを備えていることを特徴とする包装袋の内容物充填方法。
【請求項２】
前記切断部は、レーザー加工によるハーフカット線又はミシン線で形成され、前記第２収納部開口工程の際に、前記一方の外面シートが前記切断部に沿って切り離されることを特徴とする請求項１記載の包装袋の内容物充填方法。
【請求項３】
前記包装袋は、前記一対の外面シートの反開口側の内側面に開閉可能なチャックを備える共に、前記一方の外面シートの前記チャックよりも前記開口縁部側に、前記仕切りシートの反開口縁部が接着されていることを特徴とする請求項１又は２記載の包装袋の内容物充填方法。
【請求項４】
前記請求項１乃至３のいずれかの内容物充填方法によって２つの収納部に内容物をそれぞれ充填させる包装用袋であって、対向する一対の外面シートの間に、袋内を２つの収納部に分割する仕切りシートを備え、前記外面シートの何れか一方の外面シートの開口縁部近傍に、該開口縁部と平行な切断部を備えると共に、前記仕切りシートは開口縁部と反開口縁部が、前記一方の外面シートの開口縁部と反開口側とにそれぞれ接着されていることを特徴とする包装袋。
【発明の詳細な説明】
【技術分野】
【０００１】
本発明は、包装袋の内容物充填方法及び包装袋に関し、詳しくは、仕切りシートによって袋内を２つの収納部に分割した包装袋に内容物をそれぞれ充填する方法及び包装袋に関する。
【背景技術】
【０００２】
従来、対向する一対の外面シートの間に仕切りシートを介在させ、袋内を２つの収納部に分割した包装袋が知られている。この包装袋として、一対の外面シートの双方に吸着穴をそれぞれ形成し、前記吸着穴を介していずれか一方の外面シート側に仕切りシートを交互に吸引吸着させることにより、２つの収納部のいずれか一方の開口部を開口して内容物をそれぞれ充填するものがあった（例えば、特許文献１参照。）。
【先行技術文献】
【特許文献】
【０００３】
【特許文献１】特許第３７３９９２５号公報
【発明の概要】
【発明が解決しようとする課題】
【０００４】
しかし、上述のものでは、一対の外面シートの双方に、少なくとも１箇所ずつ吸着穴を形成することから、各収納部に内容物をそれぞれ充填した後に開口部を封止すると、封止した部分に複数の吸着穴が残ることから見栄えが悪くなっていた。また、仕切りシートは、薄く且つ柔軟性を備えたものを用いる場合が多いことから、一方の収納部に内容物を充填すると、内容物の重量や形状によっては仕切りシートの開口部側が波状となることがある。このため、次の工程で仕切りシートを他方の外面シートに吸引吸着させて他方の収納部を開口させる際に、波状となった仕切りシートを他方の外面シート側に吸引吸着させるために高い吸引力が必要になったり、内容物によっては仕切りシートを外面シート側に充分に吸引吸着できなかったりすることもあった。さらに、吸着穴を抜く際に発生する抜き滓が外面シート等に付着したまま内容物の充填作業が行われる虞があり、歩留まりの低下を招く虞があった。
【０００５】
そこで本発明は、各収容部を確実に開口させることができると共に、内容物充填後の見栄えを良好にすることができる包装袋の内容物充填方法及び包装袋を提供することを目的としている。
【課題を解決するための手段】
【０００６】
上記目的を達成するため、本発明の包装袋の内容物充填方法は、対向する一対の外面シートの間に、袋内を２つの収納部に分割する仕切りシートを介在させた包装袋の各収納部に、内容物をそれぞれ充填する包装袋の内容物充填方法において、前記包装袋は、前記外面シートの何れか一方の外面シートの開口縁部近傍に、該開口縁部と平行な切断部を備えると共に、前記仕切りシートの開口縁部が前記一方の外面シートの開口縁部に、前記仕切りシートの反開口縁部が前記外面シートの反開口側にそれぞれ接着されており、両外面シートの前記切断部よりも開口側を一対の吸引手段にて開口方向にそれぞれ吸引し、他方の外面シートと前記仕切りシートとの間に形成される第１収納部を開口させる第１収納部開口工程と、第１収納部開口工程によって開口した前記第１収納部に第１内容物を充填する第１充填工程と、第１充填工程終了後の前記切断部よりも開口側の両外面シートと仕切りシートとを接着する接着工程と、接着工程終了後の両外面シートの前記切断部よりも反開口側を一対の吸引手段にて開口方向にそれぞれ吸引し、一方の外面シートと仕切りシートとの間に形成される第２収納部を前記切断部の部分で開口させる第２収納部開口工程と、第２収納部開口工程によって開口した前記第２収納部に第２内容物を充填する第２充填工程と、第２充填工程終了後に前記切断部形成部分を含めた開口側の両外面シートと仕切りシートとを一体に封止する封止工程とを備えていることを特徴としている。
【０００７】
また、前記切断部は、レーザー加工によるハーフカット線又はミシン線で形成され、前記第２収納部開口工程の際に、前記一方の外面シートが前記切断部に沿って切り離されると好適であり、さらに、前記包装袋は、前記一対の外面シートの反開口側の内側面に開閉可能なチャックを備える共に、前記一方の外面シートの前記チャックよりも前記開口縁部側に、前記仕切りシートの反開口縁部が接着されているものでも良い。
【０００８】
さらに、本発明の包装袋は、上述の内容物充填方法によって２つの収納部に内容物をそれぞれ充填させる包装用袋であって、対向する一対の外面シートの間に、袋内を２つの収納部に分割する仕切りシートを備え、前記外面シートの何れか一方の外面シートの開口縁部近傍に、該開口縁部と平行な切断部を備えると共に、前記仕切りシートは開口縁部と反開口縁部が、前記一方の外面シートの開口縁部と反開口側とにそれぞれ接着されていることを特徴としている。
【発明の効果】
【０００９】
本発明によれば、第１収納部を開口させる際には、一方の外面シートに形成した切断部よりも開口側の両外面シートを一対の吸着手段で吸引することにより、一方の外面シートの開口縁部に接着されている仕切りシートを、一方の外面シートと共に一方の吸着手段側に確実に引き寄せることができ、第１収納部を確実に開口させることができる。また、第１収納部に内容物を充填した後に、前記切断部よりも開口側の両外面シートと仕切りシートとを接着させた後、前記切断部よりも反開口側の両外面シートを吸引することにより、接着後に一体化した切断部よりも開口側の両外面シートと仕切りシートとを一方の吸着手段側に、切断部よりも反開口側の一方の仕切りシートを他方の吸着手段側にそれぞれ吸着させ、切断部の部分で第２収納部を確実に開口させることができる。これにより、両方の収納部に内容物をそれぞれ良好に充填することができる。
【００１０】
さらに、両方の収納部に内容物をそれぞれ充填した後に、切断部形成部分を含めた開口側の両外面シートと仕切りシートとを一体に封止することにより、切断部の痕が目立ちにくくなり、封止後の包装袋の見栄えを良好にできる。さらに、製品名の表示や製品情報等を印刷した一対の外面シートの、陳列する際に裏側となるシートに切断部を形成することにより、商品を陳列した際に切断部の痕が視認されることがない。また、従来のように、外面シートに吸着穴を抜く必要がないことから、第１収納部や第２収納部に内容物を充填する際に外面シートの抜き滓が混入する虞がない。
【００１１】
さらに、前記切断部をレーザー加工によるハーフカット線又はミシン線で形成し、前記第２収納部開口工程の際に、前記一方の外面シートが前記切断部に沿って切り離されるようにすることにより、第２収納部開口工程以前の状態で、切断部から袋内に異物が混入する虞がない。
【００１２】
また、一対の外面シートの反開口側にチャックを設ける共に、一方の外面シートのチャックよりも開口縁部側に仕切りシートの反開口縁部を接着することにより、チャックを開いても仕切りシートを接着した仕切りシート側の収納部が開口しないので、仕切りシートを接着していない仕切りシート側の収納部に充填した内容物のみを出し入れすることができる。
【図面の簡単な説明】
【００１３】
【図１】本発明の内容物充填方法の第１充填工程までを示す説明図である。
【図２】同じく接着工程までを示す説明図である。
【図３】同じく第２収納部開口工程までを示す説明図である。
【図４】同じく封止工程までを示す説明図である。
【図５】本発明の一形態例を示す包装袋の一部断面斜視図である。
【図６】同じく包装袋の断面図である。
【発明を実施するための形態】
【００１４】
図５及び図６は本発明の一形態例を示す包装袋１で、この包装袋１は、対向する一対の外面シート２，３の間に仕切りシート４を介在させ、袋内を外面シート３と仕切りシート４との間に形成される第１収納部５と、外面シート２と仕切りシート４との間に形成される第２収納部６とに分割している。一対の外面シート２，３は、比較的硬度を有する複層合成樹脂シートが用いられ、外面には製品名や製品情報等がそれぞれ印刷されている。
【００１５】
製品を陳列する際に裏側となる一方の外面シート２の開口縁部近傍には、開口縁部と平行に、切断部となるスリット２ａが形成され、また、一対の外面シート２，３の反開口側の内側面には、雌雄爪型のチャック７が設けられている。さらに、一方の外面シート２は、開口縁部に前記仕切りシート４の開口縁部が、チャック７よりも開口部側に、仕切りシート４の反開口縁部がそれぞれ接着されると共に、双方の外面シート２，３の両側縁部は、仕切りシート４と共に接着されている。外面シート２，３には、比較的硬度を有し、通気性の無い複層合成樹脂シートが用いられ、仕切りシート４は、通気性を備えた薄い合成樹脂シートが用いられている。
【００１６】
次に、上述の包装袋１の各収納部５，６に、自動充填機にて内容物を順次充填する工程を図１乃至図４に基づいて説明する。包装袋１は、開口部を上方に向けて自動充填機に導入され、まず、図１（Ａ），（Ｂ）に示す第１収納部開口工程１１により、外面シート２，３のスリット２ａよりも開口側に向けて、吸着板２１ａ，２１ｂをそれぞれ進出させ、仕切りシート４の開口縁部が接着している一方の外面シート２と他方の外面シート３とを開口方向に吸引して、他方の外面シート３と仕切りシート４との間に形成される第１収納部５を開口させる。
【００１７】
次いで、図１（Ｃ）に示す第１充填工程１２により、例えば、食品や雑貨等の第１内容物を導入するホッパ２２が下降し、前記第１収納部５の開口内に挿入され、第１収納部５に第１内容物２３が充填される。
【００１８】
第１収納部５に第１内容物２３が充填された包装袋１は、図２（Ａ），（Ｂ）に示す接着工程１３により、一方の外面シート２のスリット２ａよりも開口側で、袋幅方向中央部に向けてヒータヘッド２４を、該ヒータヘッド２４に対向する位置の他方の外面シート３に向けて押え板２５をそれぞれ進出させ、両外面シート２，３と仕切りシート４とをスポットシールし、スリット２ａよりも開口側の外面シート２，３と仕切りシート４とを接着させる。
【００１９】
次に、図３（Ａ）に示す第２収納部開口工程１４により、スリット２ａよりも反開口側の両外面シート２，３に向けて吸着板２１ｃ，２１ｄをそれぞれ進出させ、双方の外面シート２，３を開口方向に吸引する。これにより、接着工程１３により一体化されたスリット２ａよりも開口側の双方の外面シート２，３と仕切りシート４とが一方の吸着板２１ｄに、スリット２ａよりも反開口側の一方の外面シート２が他方の吸着板２１ｃに吸引され、スリット２ａの部分で、一方の外面シート２と仕切りシート４とによって形成される第２収納部６が開口する。
【００２０】
次いで、図３（Ｂ）に示す第２充填工程１５により、例えば、乾燥剤や保存料や保冷剤等の第２内容物２５を導入するホッパ（図示せず）が下降し、前記第２収納部６の開口内に挿入され、第２収納部６に第２内容物２６が充填される。
【００２１】
最後に、図４（Ａ），（Ｂ）に示す封止工程１６によって、スリット形成部分を含めた開口側の一方の外面シート２に向けてヒートバー２７を、該ヒートバー２７に対向する位置の他方の外面シート側に向けて押え板２８をそれぞれ進出させ、両外面シート２，３と仕切りシート４とをヒートシールする。
【００２２】
本形態例の包装袋１は、袋の裏側となる一方の外面シート２にのみスリット２ａを形成すると共に、スリット２ａの位置は封止工程１６によってヒートシールされることにより痕が目立ちにくくなり、封止後の包装袋の見栄えを良好にできる。さらに、製品名の表示や製品情報等を印刷した一対の外面シート２，３の、陳列する際に裏側となる外面シート２にスリット２ａを形成することにより、商品を陳列した際に切断部の痕が視認されることがない。
【００２３】
さらに、包装袋１は、一方の外面シート２にスリット２ａを形成すると共に、仕切りシート４を予め一方の外面シート３に接着しておけばよいことから、加工精度を上げることなく、歩留まりを上げることができ、製造コストを低減化させることができる。
【００２４】
また、スリット２ａの形成にあたっては、従来の吸着穴の形成のように抜き滓が発生することがなく、第１収納部５や第２収納部６に内容物２３，２６を充填する際に外面シートの抜き滓が混入する虞がない。
【００２５】
さらに、一対の外面シート２，３の反開口側にチャック７を設ける共に、一方の外面シート２のチャック７よりも開口縁部側に仕切りシート４の反開口縁部を接着することにより、チャック７を開いても仕切りシート４を接着した仕切りシート側の収納部６が開口しないので、仕切りシート４を接着していない仕切りシート側の収納部５に充填した内容物のみを出し入れすることができる。
【００２６】
また、本発明の内容物充填方法では、仕切りシート４は吸引される際には、外面シート２，３のいずれかに接着された状態であり、従来のように吸着孔を介して吸引されることがないことから、通気性を備えた薄い合成樹脂シートで仕切りシート４を形成しても、仕切りシート４を確実に一方の外面シート側に引き寄せることができる。
【００２７】
尚、本発明の切断部は、レーザー加工によるハーフカット線又はミシン線で形成することもでき、包装袋１は、第２収納部開口工程１４が行われるまで、切断部の部分が繋がっている状態を保持し、第２収納部開口工程１４の際に、吸着板で一方の外面シート２の切断部よりも反開口側が吸引されると、一方の外面シート２が切断部に沿って切り離され、切断線の部分で第２収納部が開口する。これにより、第２収納部開口工程以前の状態では、切断部から袋内に異物が混入することがない。
【００２８】
また、接着工程は、一方の外面シートのスリットよりも開口側に線シールバーを、線シールバーに対向する位置の他方の外面シートに向けて押え板をそれぞれ進出させて、切断線よりも開口側の両外面シートと仕切りシートの全面を接着させるものでも良い。
【００２９】
また、第１収納部や第２収納部に充填する内容物は任意であり、ホッパを用いて充填できるものであれば、固体でも液体でも良く、粉状・粒状・ゲル状等どのような状態のものでも充填することができる。さらに、仕切りシートの反開口縁部と外面シートとは非接着状態でも実施でき、また、チャックを備えていない包装用袋にも適用することもできる。
【符号の説明】
【００３０】
１…包装袋、２，３…外面シート、２ａ…スリット、４…仕切りシート、５…第１収納部、６…第２収納部、７…チャック、１１…第１収納部開口工程、１２…第１充填工程、１３…接着工程、１４…第２収納部開口工程、１５…第２充填工程、１６…封止工程、２１ａ，２１ｂ，２１ｃ，２１ｄ…吸着板、２２…ホッパ、２３…第１内容物、２４…ヒータヘッド、２５…押え板、２６…第２内容物、２７…ヒートバー、２８…押え板
【図１】
2011131906.tif 000003
【図２】
2011131906.tif 000004
【図３】
2011131906.tif 000005
【図４】
2011131906.tif 000006
【図５】
2011131906.tif 000007
【図６】
2011131906.tif 000008